(57)【要約】【課題】  袋状の濾材の開口周囲を支持枠に支持されてなるバッグフィルタにおいて、当該バッグフィルタの設置現場で濾材のみを容易に交換することが可能であり、しかも濾材が支持枠から脱落する恐れのないバッグフィルタを提供する。【解決手段】  袋状の濾材の開口周囲が支持枠に支持されてなるバッグフィルタであって、前記支持枠は、中枠材と、該中枠材を収納可能な中空部及び該中空部に通じる開放口を有する中枠材用収納材と、該中枠材用収納材の一部と嵌合可能な嵌合具とからなり、前記中枠材の周囲に前記濾材の開口周縁部を巻き付けた状態で、前記中枠材が前記中枠材用収納材に収納されており、さらに前記中枠材用収納材の開放口を覆って、前記嵌合具が前記中枠材用収納材に嵌合していることを特徴とする。【選択図】  図１
2014018788.tif 000002
【特許請求の範囲】
【請求項１】
袋状の濾材の開口周囲が支持枠に支持されてなるバッグフィルタであって、
前記支持枠は、中枠材と、該中枠材を収納可能な中空部及び該中空部に通じる開放口を有する中枠材用収納材と、該中枠材用収納材の一部と嵌合可能な嵌合具とからなり、
前記中枠材の周囲に前記濾材の開口周縁部を巻き付けた状態で、前記中枠材が前記中枠材用収納材に収納されており、さらに前記中枠材用収納材の開放口を覆って、前記嵌合具が前記中枠材用収納材に嵌合していることを特徴とするバッグフィルタ。
【発明の詳細な説明】
【技術分野】
【０００１】
本発明は、一般ビルの空調設備、工場空調設備、電算機室や病院の空調設備などに使用されるフィルタであって、塵埃に対して高い捕集効率と低い圧力損失で塵埃保持容量が極めて大きく、長期使用が可能であり、粗塵除去用フィルタや中高性能フィルタに適したバッグフィルタに関する。
【背景技術】
【０００２】
従来、バッグフィルタとしては本出願人による製品が知られている（非特許文献１参照）。図９及び図１０に示すように、このバッグフィルタ１にあっては、該フィルタ１の開口周囲に木枠３が設けられている。木枠３は、該フィルタ１の空気流入口の周囲を構成する枠３ａと、枠３ａ内を仕切る枠３ｂとからなり、これら枠３ａ及び枠３ｂがタッカーなどで接合されている。
【０００３】
また木枠３には、複数の袋状の濾材２の開口周囲の端部がタッカーなどで打ち付けられ、この濾材２端部と共に木枠３は、断面コ字形のガルバリウム鋼板４からなる側板、天地板及び仕切板で覆われている。
【０００４】
上記バッグフィルタ１にあっては、その組立時に木枠３の組立が必要であり、また、その木枠３には濾材２の開口周囲の端部をタッカーなどで一つ一つ止めていかなければならず、組み立て工程が非常に煩雑であり、設置場所での組立も不可能であった。また、使用後のバッグフィルタを金属と濾材などを分離してから、それぞれ廃棄する必要があり、煩雑な作業となっていた。
【０００５】
このような問題に対して、特許文献１では、図１１及び図１２に示すように、ろ材６の開口部を保持する保持部材を、各開口部を背面側から矩形状に支持する枠部材７と、この枠部材７に前記ろ材６の前面側から嵌め込まれて、枠部材７との間で前記ろ材開口部の少なくとも最外周部分を挟持する枠蓋部材８とで形成し、更にこの枠部材７に嵌め込まれた枠蓋部材８を抜け止めする抜け止め具９が設けられてなるバッグフィルタが示されている。
【０００６】
上記バッグフィルタでは、枠部材７と枠蓋部材８の間に、ろ材開口部の最外周部分を挟持することによって、ろ材を保持部材に固定している。具体的には、図１２に示すように、ろ材開口部の最外周部分を、実質的に断面Ｌ字形をした枠部材７の一面と、断面コ字形をした枠蓋部材８の一面との間で挟みつつ、枠蓋部材８を枠部材７に嵌め込むようにして、ろ材を保持部材に固定している。したがって、ろ材を保持部材にしっかりと固定しようとする場合は、断面Ｌ字形をした枠部材７の一面と、断面コ字形をした枠蓋部材８の一面との間隔を小さくする必要があるが、小さくすると枠蓋部材８を枠部材７に嵌め込むことが困難になったり、ろ材開口部の最外周部分が破損する危険があった。逆に断面Ｌ字形をした枠部材７の一面と、断面コ字形をした枠蓋部材８の一面との間隔を大きくすると、ろ材を保持部材にしっかりと固定できなくなってしまうという問題があった。さらに、上記バッグフィルタにあっては、ろ材開口部の最外周部分は断面Ｌ字形をした枠部材７の一面と、断面コ字形をした枠蓋部材８の一面との間で狭持されているだけであるので、ろ材に塵埃が堆積してろ材の圧力損失が上昇した際に、ろ材に振動が発生して、ろ材開口部の最外周部分が保持部材から部分的に抜け出す危険があった。
【先行技術文献】
【特許文献】
【０００７】
【特許文献１】特開２００５−２８２１９号公報
【非特許文献】
【０００８】
【非特許文献１】日本バイリーン株式会社の２０１０年４月発行の製品カタログ（環境配慮型エアフィルタ『Ｅｃｏａｌｐｈａ』（登録商標）の袋形エアフィルタ『フィロバッグ』（登録商標）、型式ＶＧ−４０、ＶＧ−９０など）
【発明の概要】
【発明が解決しようとする課題】
【０００９】
本発明は、上記問題を解決して、袋状の濾材の開口周囲を支持枠に支持されてなるバッグフィルタにおいて、当該バッグフィルタの設置現場で濾材のみを容易に交換することが可能であり、しかも濾材が支持枠から脱落する恐れのないバッグフィルタを提供することを課題とする。
【課題を解決するための手段】
【００１０】
上記課題を解決するため、請求項１に係る発明では、袋状の濾材の開口周囲が支持枠に支持されてなるバッグフィルタであって、
前記支持枠は、中枠材と、該中枠材を収納可能な中空部及び該中空部に通じる開放口を有する中枠材用収納材と、該中枠材用収納材の一部と嵌合可能な嵌合具とからなり、
前記中枠材の周囲に前記濾材の開口周縁部を巻き付けた状態で、前記中枠材が前記中枠材用収納材に収納されており、さらに前記中枠材用収納材の開放口を覆って、前記嵌合具が前記中枠材用収納材に嵌合していることを特徴とするバッグフィルタをその解決手段とした。
【発明の効果】
【００１１】
本発明によって、袋状の濾材の開口周囲を支持枠に支持されてなるバッグフィルタに関し、当該バッグフィルタの設置現場で濾材のみを容易に交換することが可能であり、しかも濾材が支持枠から脱落する恐れのないバッグフィルタを提供することが可能となった。
【図面の簡単な説明】
【００１２】
【図１】本発明のバッグフィルタの一例を示す組み立て図である。
【図２】本発明のバッグフィルタの一例を示す斜視図である。
【図３】（Ａ）は図２のＡ部分の拡大断面図であり、（Ｂ）は図２のＢ部分の拡大断面図である。
【図４】本発明のバッグフィルタの別の例を示す組み立て図である。
【図５】本発明のバッグフィルタの別の例を示す斜視図である。
【図６】（Ｃ）は図５のＣ部分の拡大断面図であり、（Ｄ）は図５のＤ部分の拡大断面図であり、（Ｅ）は図５のＥ部分の拡大断面図である。
【図７】本発明のバッグフィルタを取り付ける取り付け枠の一例を示す斜視図である。
【図８】本発明のバッグフィルタを、図７の取り付け枠に取り付けた状態を示す斜視図である。
【図９】従来のバッグフィルタを示す斜視図である。
【図１０】図９の従来のバッグフィルタの木枠と、この木枠に取り付けられる濾材とを示す拡大断面図である。
【図１１】従来の別のバッグフィルタを示す斜視図である。
【図１２】（ａ）及び（ｂ）は図１１の一部分の拡大断面図である。
【発明を実施するための形態】
【００１３】
以下、本発明に係るバッグフィルタの実施の形態について詳細に説明する。
【００１４】
本発明のバッグフィルタは図１〜３に例示するように、袋状の濾材１０の開口周囲１１が支持枠に支持されてなるバッグフィルタであって、前記支持枠は、中枠材２０と、該中枠材２０を収納可能な中空部及び該中空部に通じる開放口を有する中枠材用収納材４０と、該中枠材用収納材４０の一部と嵌合可能な嵌合具５０とからなり、前記中枠材２０の周囲に前記濾材の開口周縁部１１を巻き付けた状態で、前記中枠材２０が前記中枠材用収納材４０に収納されており、さらに前記中枠材用収納材４０の開放口を覆って、前記嵌合具５０が前記中枠材用収納材４０に嵌合していることを特徴とする。
【００１５】
また、本発明のバッグフィルタの好ましい形態の一例として、図４〜６に例示するように、袋状の濾材１０の開口周囲１１が支持枠に支持されてなるバッグフィルタであって、前記支持枠は中枠材２０と、前記濾材１０の開口周縁部１１が巻き付いた前記中枠材の一部とに嵌合可能な濾材止め具３０と、前記中枠材２０と前記濾材止め具３０とを収納可能な中空部及び該中空部に通じる開放口を有する中枠材用収納材４０と、該中枠材用収納材４０の一部と嵌合可能な嵌合具５０とからなり、前記中枠材２０の周囲に前記濾材１０の開口周縁部１１を巻き付け、さらに前記濾材止め具３０がこの濾材１０が巻き付いた中枠材に嵌合した状態で、前記中枠材２０及び濾材止め具３０とが前記中枠材用収納材４０に収納されており、さらに前記中枠材用収納材４０の開放口を覆って、前記嵌合具５０が前記中枠材用収納材４０に嵌合しているバッグフィルタを挙げることができる。
【００１６】
本発明のバッグフィルタは図１〜３に例示するように、袋状の濾材１０の開口周囲１１が支持枠に支持されてなるバッグフィルタである。濾材１０の種類としては、特に限定されず、例えば、平均繊維径が１〜３０デシテックスの構成繊維を用いて、バインダーや熱接着性の繊維で結合させる方法や、スパンボンド法によって形成した不織布を適用することができる。このような不織布は比較的剛性を有しており保形性に優れているので、図１〜２に例示するように、１枚物の不織布を縫製または熱成形して複数の袋が繋がった形状の濾材とすることができる。また繊維径が比較的大きいので、質量法で評価される濾過性能を有する粗塵除去用の濾材として好適である。なお、実際の適用に際しては、粗密構造の濾材を形成した上で、上流側に粗面、下流側に密面となるように袋状に成形することが好ましい。
【００１７】
また、濾材１０の例としては、ガラスマットと不織布が積層された積層不織布、またはメルトブロー法によって極細繊維を形成している過程で短繊維を吹き込み、極細繊維と短繊維とを混合して得られる不織布などを、図４〜５に例示するように、複数の袋に縫製した後でこれらの袋を連結して得られる濾材が適用可能である。このような濾材は、従来から吹き流し形フィルタとして知られている濾材であり、主として比色法効率で評価される濾過性能を有する中高性能フィルタ用の濾材として好適である。またこのタイプの濾材には、スパンボンド不織布やネットなどの布帛を補強材として積層したものも好適に使用できる。この濾材の具体的例としては、例えばメルトブロー法によって製造された平均繊維径が０．１〜１０ミクロンの極細繊維５〜５０質量％と、平均繊維径が１０〜１００ミクロンの熱融着性繊維５０〜９５質量％とが混在し、前記熱融着性繊維の熱融着によって密度勾配を有する状態で繊維相互が固定された不織布からなる濾材を挙げることができる。この濾材の場合、ＪＩＳ比色法効率（ＪＩＳＢ９９０８に規定される試験値）９５％以上又は同比色法効率９０％以上の高性能フィルタ、及び同比色法効率７０％以上の中性能フィルタに適合させることができる。なお、実際の適用に際しては、中高性能に相当する濾材と粗塵除去用の濾材とを積層して、上流側に粗塵濾材、下流側に中高性能濾材となるように袋状に作製することが好ましい。
【００１８】
濾材１０の面密度も特に限定されないが、好ましくは４０〜４００ｇ／ｍ２、より好ましくは６０〜３００ｇ／ｍ２、さらに好ましくは８０〜２５０ｇ／ｍ２である。濾材１０の厚さも限定されないが、好ましくは３〜２０ｍｍ、より好ましくは４〜１５ｍｍ、さらに好ましくは５〜１０ｍｍである。
【００１９】
また、濾材１０の材質としては、環境に悪影響を与え難い材料として可燃性材料のみからなることが望ましい。そのような材質とすることで、使用後の廃棄時に分別処理が不要となる上、熱源としてリサイクルすることが可能となる。また、濾材には難燃剤を含ませることもできる。この場合、リン系などのノンハロゲン系の材料とするのが望ましい。
【００２０】
本発明では、図１〜３に例示するように、前記袋状の濾材１０の開口周囲１１が支持枠に支持されている。前記支持枠は、中枠材２０と、該中枠材２０を収納可能な開放口付中空部を有する中枠材用収納材４０と、該中枠材用収納材４０の一部と嵌合可能な嵌合具５０とから構成されている。
【００２１】
前記中枠材２０は、中枠材２０の周囲に濾材１０の開口周縁部１１を巻き付けることが可能である限り特に限定されず、その形状は濾材１０の開口周縁部１１の形状に応じた形状とすることができる。図１の例では、濾材１０の開口周縁部１１の四辺形の形状に合うように、中枠材２０は全体形状が四辺形の枠材からなっている。また、当該中枠材の断面形状は多角形又は円形であることが可能であり、中空であることも中実であることも可能である。断面形状が多角形である場合は複数の角を有しており、当該角が多いほど、中枠材２０から濾材１０が滑り落ちることを防止する効果が大きくなる。また、図１または図３のように、断面がコ字状又は四角形の場合は、多角構造であるばかりでなく、その角も比較的鋭い角となっているので、中枠材２０から濾材１０が滑り落ちることを防止する効果に優れている。また、中枠材２０が中空部を有する構造、または断面コ字状の構造のように中空部と当該中空部に通じる開放口とを有する構造であることにより、中枠材２０の軽量化が可能となるので好ましい。図３では、この中枠材２０は断面コ字状の剛性部材となっており、開放口は全体形状が四辺形である中枠材２０の四辺形の内側に向いている。また開放口の端部は危険防止や濾材の破れ防止のために最端部を折り曲げるヘミング加工が施されている。
【００２２】
また、前記中枠材２０は、図４及び図５に例示するように、この図において、左側から空気が流れる場合は、周囲の外桟２０ａに対して中桟２０ｂを複数設けて、図６（Ｅ）に例示するように、袋状の濾材１０の各袋の開口周囲１２を下流側で支持するようにすることも可能である。図６（Ｅ）では、中桟２０ｂは外桟２０ａと同様の断面コ字状の剛性部材となっている。図４及び図５の例では、図６（Ｅ）に示すように、隣接する袋の開口周縁部同士が縫製によって接続されて接続部１３を形成しており、この接続部１３が中桟２０ｂの真上になるよう両方の袋が中桟２０ｂを跨ぐようにして支持されている。また、接続部１３を保護するためにカバー材１４が取り付けられている。
【００２３】
本発明では、図３に例示するように、前記中枠材２０の周囲に前記濾材の開口周縁部１１が巻き付けられている。図３（Ａ）は、図２のＡ部分を拡大した断面図であり、開口周縁部１１は、断面コ字状の中枠材２０の開放口の上部、左壁、下壁、右壁の順に中枠材２０に巻き付けられている。このＡ部分では中枠材２０の右壁と後述する嵌合具５０の右壁との間に濾材の開口周縁部１１が挟み込まれるので、開口周縁部１１の最端部１１ａは上向き、つまり四辺形の中枠材２０の内側に向いている。これに対して、嵌合具５０のない部分では、開口周縁部１１の最端部１１ｂは右方向、つまり空気の下流側または上流側に向いている。そしてこの嵌合具５０のない部分は、図２のＢ部分を拡大した図３（Ｂ）と同様の形態になっている。なお、本発明では「巻き付ける」とは、中枠材２０の断面において４辺以上接するか、または周囲の７５％以上に濾材の開口周縁部１１が接することを意味している。ここで４辺以上接するとは３つ以上の角で濾材１０の開口周縁部１１が折り曲げられていることを意味する。また、中枠材２０が開放口を有する場合は、開放口の一端から他端を結ぶ線を一つの辺として数えるものとする。また、本発明では、中枠材２０の周囲に濾材の開口周縁部１１が一周以上巻き付けることも可能である。図３（Ａ）の例では、濾材の開口周縁部１１が断面コ字状の中枠材２０の４辺に接しており、また３つの角で折れ曲がっており、濾材が中枠材２０から特に滑り難くなっている。
【００２４】
本発明では、前記中枠材２０の周囲に前記濾材の開口周縁部１１が巻き付けられているが、図４、図５及び図６（Ｃ）に例示するように、濾材１０の開口周縁部１１が巻き付いた中枠材２０の一部に嵌合可能な濾材止め具３０を、濾材１０の開口周縁部１１を介して当該中枠材の一部に嵌合させることも可能である。このような濾材止め具３０は、柔軟性があり保形性に劣る濾材を、後述する中枠材用収納材４０の中に収納する前に、中枠材２０の一部に固定しておき、当該濾材を中枠材用収納材４０の中に収納する作業を効率化する効果がある。
【００２５】
前記濾材止め具３０は、濾材１０の開口周縁部１１が巻き付いた中枠材２０の一部に嵌合可能である限り特に限定されず、その形状は前記中枠材２０の外周の形状に応じた中空部及び当該中空部に通じる開放口を有する形状とすることができる。図６（Ｃ）の例では、中枠材２０の外周の形状に合うように、濾材止め具３０は断面コ字状の剛性部材となっており、中枠材２０の外周面と濾材止め具３０の内周面との間に所定の空隙が保たれる構造になっており、この空隙により濾材の開口周縁部１１が圧縮された状態で挟持されている。図６（Ｃ）では、濾材止め具３０は、その開放口を四辺形の中枠材２０の内側に向けて、濾材１０の開口周縁部１１が巻き付いた中枠材２０に嵌め込まれているが、濾材止め具３０の開放口を空気の下流側または上流側に向けて、濾材１０の開口周縁部１１が巻き付いた中枠材２０に嵌め込まれた形態も可能である。
【００２６】
前記濾材止め具３０を設ける位置や、その数も特に限定されることはないが、図４に例示するように、袋状の濾材の開口周縁部１１の短辺側の中枠材２０の中央部に設けることが好ましく、図４のように上下の中枠材２０にそれぞれ１個ずつ合計２箇所に設けることが好ましい。必要に応じて、袋状の濾材の開口周縁部１１の長辺側の中枠材２０にも設けることも可能であるが、この場合、部品が多くなり取り付けの手間も多くなるので、図４の形態が好ましい。
【００２７】
本発明では、前記中枠材用収納材４０は、図１〜３に例示するように、中枠材２０を収納可能な中空部と当該中空部に通じる開放口とを有しており、中枠材２０の周囲に前記濾材の開口周縁部１１を巻き付けた状態で、前記中枠材２０を収納している。中枠材用収納材４０の形状については、中枠材２０を収納可能な中空部と当該中空部に通じる開放口を有する限り特に限定されず、中枠材用収納材４０の外周の形状に応じた内周形状を有した形状が適用可能である。なお、中枠材用収納材４０は図１〜３に示すように、中枠材２０全体を収納可能とする形態であることが好ましい。
【００２８】
図３（Ａ）の例では、中枠材２０の全体形状に合うように、中枠材用収納材４０は全体形状が四辺形であり、その断面がコ字状の剛性部材となっており、中枠材２０の外周面と中枠材用収納材４０の内周面との間に所定の空隙が保たれる形態になっており、この空隙によって、濾材の開口周縁部１１が挟持され圧縮された状態で収納されている。図３（Ａ）では、中枠材用収納材４０は、その開放口が空気の上流側または下流側に向かって設けられており、この開放口を通して中枠材２０及び中枠材２０の周囲に巻き付けられた濾材の開口周縁部１１を収納している。すなわち、中枠材２０の外周面と中枠材用収納材４０の内周面との間で、濾材の開口周縁部１１が挟持され圧縮された状態で収納されている。また、図３（Ａ）では、中枠材用収納材４０の断面がコ字状であるとともに全体形状が四辺形であり、その四辺形の内側の壁４０ａの巾が外側の壁４０ｂの巾よりも小さくなっており、濾材の開口周縁部１１が中枠材２０に巻き付き易い構造となっている。また、中枠材用収納材４０の開放口の端部は危険防止や濾材の破れ防止のために最端部を折り曲げるヘミング加工が施されている。
【００２９】
また、前記中枠材用収納材４０は、図４〜６に例示するように、中枠材２０と濾材止め具３０とを収納可能な中空部と当該中空部に通じる開放口とを有しており、中枠材２０の周囲に濾材１０の開口周縁部１１を巻き付け、さらに濾材止め具３０がこの濾材が巻き付いた中枠材２０に嵌合した状態において、中枠材２０と濾材止め具３０とを収納している形態も好ましい一例である。図６（Ｃ）の例では、中枠材２０の外周の形状及び濾材止め具３０の外周の形状に合うように、中枠材用収納材４０は断面コ字状の剛性部材となっており、中枠材の一部分において、中枠材用収納材４０の内周面が濾材止め具３０の外周面に接しており、中枠材２０の外周面と中枠材用収納材４０の内周面との間に空隙が保たれる形態になっており、この空隙によって、濾材止め具３０を介して、濾材の開口周縁部１１が挟持され圧縮された状態で収納されている。また、中枠材の他の部分においては、図３（Ａ）と同様に、中枠材２０の外周面と中枠材用収納材４０の内周面との間に、空隙が保たれる形態になっており、この空隙によって濾材の開口周縁部１１が挟持され圧縮された状態で収納されている。
【００３０】
本発明では、前記嵌合具５０は、図１〜３に例示するように、前記中枠材用収納材４０の一部と嵌合可能であり、前記中枠材用収納材４０の開放口を覆って、当該中枠材用収納材４０の一部に嵌合している。このような構造によって、中枠材用収納材４０の開放口から、濾材の開口周縁部１１が巻き付けられた中枠材２０が抜け出すことを防止することができる。嵌合具５０は、中枠材用収納材４０の開放口を覆って、中枠材用収納材４０の一部と嵌合可能である限り特に限定されず、その形状は中枠材用収納材４０の外周の形状に応じた中空部と当該中空部に通じる開放口とを有する形状とすることができる。
【００３１】
図３（Ａ）の例では、中枠材用収納材４０の外周の形状に合うように、嵌合具５０は断面コ字状の剛性部材となっており、中枠材用収納材４０の一部分において、嵌合具５０の内周面が中枠材用収納材４０の外周面に接している。図３（Ａ）では、嵌合具５０は、その開放口を全体形状が四辺形をした中枠材２０の四辺形の内側に向けて、中枠材用収納材４０に嵌め込まれている。そのため、嵌合具５０は、空気の下流側または上流側に向けて開放口を有している中枠材用収納材４０の開放口を覆って、当該中枠材用収納材４０に嵌合している。このような構造によって、濾材の開口周縁部１１が巻き付けられた中枠材２０が抜け止め状態になっている。
【００３２】
前記嵌合具５０を設ける位置や、その数も特に限定されることはないが、図１に例示するように、袋状の濾材の開口周縁部１１の短辺側の中枠材２０の中央部に設けることが好ましく、図１のように上下の中枠材２０にそれぞれ１個ずつ合計２箇所に設けることが好ましい。必要に応じて、袋状の濾材の開口周縁部１１の長辺側の中枠材２０にも設けることも可能であるが、この場合、部品が多くなり取り付けの手間も多くなるので、図１の形態が好ましい。
【００３３】
また、前記濾材止め具３０を設ける場合は、嵌合具５０を設ける位置と濾材止め具３０を設ける位置とを必ずしも一致させる必要はないが、図４に示すように、一致させることが好ましく、一致させることにより、袋状の濾材の開口周囲を支持枠に確実に支持することが可能になる。
【００３４】
本発明では、前記支持枠を構成する中枠材２０、濾材止め具３０、中枠材用収納材４０、及び嵌合具５０などは剛性を有する限り、その材質は特に限定されず、例えばステンレス、アルミニウムなどの金属、合成樹脂などを適用することが可能である。
【００３５】
また、本発明のバッグフィルタ全体の大きさとしては特に限定されないが、好ましくは中枠材用収納材４０の外寸が２５０〜６５０ｍｍであり、実用的は、例えば２９０ｍｍ、３０５ｍｍ、５９５ｍｍなどの寸法を採用することができる。また、袋状の濾材の長さは、好ましくは４００〜３０００ｍｍを採用することができ、より好ましくは６５０〜１０３０ｍｍを採用することができる。
【００３６】
本発明のバッグフィルタは、図７に例示するような取り付け枠６０に取り付けて使用することができる。図７では、取り付け枠６０は四角形の筒状をした外枠６１に、当該外枠６１の内壁周囲に突起状の上流側支持枠止着部６２と、下流側支持枠止着部６３とが設けられており、各支持枠止着部６２、６３にはパッキンが貼り付けられている。更に外枠６１には、これらの支持枠止着部６２、６３に本発明のバッグフィルタの支持枠を止着させた後に、当該支持枠を押さえるための押さえ部材６４、６５が設けられている。また、取り付け枠６０の上流側に番線からなる籠状の濾材支持部材６６が設けられている。
【００３７】
図２に示す本発明のバッグフィルタ７１及び図５に示す本発明のバッグフィルタ７２を図７に例示する取り付け枠６０に取り付けた状態を図８に示す。図８によれば、図２に示す本発明のバッグフィルタ７１は、袋状の濾材１０が上流側に支持枠が下流側になるようにして、また袋状の濾材１０が濾材支持部材６６に被さるようにして、支持枠が上流側支持枠止着部６２に当接した後に、更に押さえ部材６４によって当該支持枠が上流側支持枠止着部６２に止着することで、取り付け枠６０に取り付けられている。また、図５に示す本発明のバッグフィルタ７２は、袋状の濾材１０が下流側に支持枠が上流側になるようにして、支持枠が下流側支持枠止着部６３に当接した後に、更に押さえ部材６５によって当該支持枠が下流側支持枠止着部６３に止着することで、取り付け枠６０に取り付けられている。
【００３８】
図８の例では、図２に示すバッグフィルタ７１を上流側に配置して、粗塵除去用のフィルタとして作用させ、図５に示すバッグフィルタ７２を下流側に配置して、中高性能用のフィルタとして作用させている。またバッグフィルタ７２は粗塵除去用の濾材を積層せずに単に中高性能に相当する濾材のみを用いて袋状に作製している。しかし、図２に示すバッグフィルタ７１を上流側に配置せずに、図５に示すバッグフィルタ７２のみを下流側に配置することも可能である。また、図２に示すバッグフィルタ７１のみを下流側に配置することも可能である。この場合、図４に示すように、中枠材２０に中桟２０ｂを複数設けて、袋状の濾材１０の各袋の開口周囲１１を下流側で支持するようにすることが好ましい。
【００３９】
本発明のバッグフィルタは、中枠材２０の周囲に濾材の開口周縁部１１を巻き付けた状態で、中枠材２０が中枠材用収納材４０に収納されており、さらに中枠材用収納材４０の開放口を覆って、嵌合具５０が中枠材用収納材４０に嵌合しているので、濾材が支持枠に強固に固定されており、バッグフィルタに塵埃が堆積した場合でも濾材が支持枠から脱落する恐れがない。また、袋状の濾材を接着剤やタッカーなどで支持枠に固定する必要はないので、当該バッグフィルタの設置現場で濾材のみを容易に交換することが可能である。
【符号の説明】
【００４０】
１０  濾材
１１  濾材の開口周縁部
１１ａ、１１ｂ  開口周縁部の最端部
１２  各袋の開口周囲
１３  接続部
１４  カバー材
２０  中枠材
２０ａ  外桟
２０ｂ  中桟
３０  濾材止め具
４０  中枠材用収納材
４０ａ  内側の壁
４０ｂ  外側の壁
５０  嵌合具
６０  取り付け枠
６１  外枠
６２  上流側支持枠止着部
６３  下流側支持枠止着部
６４、６５  押さえ部材
６６  濾材支持部材
７１、７２  バッグフィルタ
【図１】
2014018788.tif 000003
【図２】
2014018788.tif 000004
【図３】
2014018788.tif 000005
【図４】
2014018788.tif 000006
【図５】
2014018788.tif 000007
【図６】
2014018788.tif 000008
【図７】
2014018788.tif 000009
【図８】
2014018788.tif 000010
【図９】
2014018788.tif 000011
【図１０】
2014018788.tif 000012
【図１１】
2014018788.tif 000013
【図１２】
2014018788.tif 000014